(57)【要約】【課題】水流切換レバーが、水に濡れても滑りにくく、操作性に優れ、使用者がこれを用いて快適に水仕事を行なうことのできる実用性に優れた浄水器を提供する。【解決手段】水流切換レバー２を有する蛇口直結型の浄水器において、前記水流切換レバー２の触手部分８に、半球状の突起７・・・を形成した滑り止め部材を設けたことを特徴とする浄水器。【選択図】  図１
2005319467.tif 000002
【特許請求の範囲】
【請求項１】
水流切換レバーを有する蛇口直結型の浄水器において、
前記水流切換レバーはプラスチック製であり、かつこの水流切換レバーの触手部分に、半球状の突起を形成した滑り止め部材を設けたことを特徴とする浄水器。
【発明の詳細な説明】
【技術分野】
【０００１】
本発明は、家庭用の蛇口直結型浄水器に関して、原水と浄水との水流切換操作をより確実に行なうことができ、実用性を向上させた浄水器に関する。
【背景技術】
【０００２】
従来、家庭用の蛇口直結型浄水器としては、図７に例を示したような浄水器が広く一般に知られている（特許文献１参照）。図７中符号３に示されるものは、浄水器本体であり、この浄水器本体３は、ポリ塩化ビニル、ポリエチレンなどのプラスチックから形成されたケース内に、水流切換機構部４、浄水カートリッジ６などを収容したものである。
前記浄水カートリッジ６は、中空糸膜フィルタ、活性炭フィルタなどよりなる多重濾過構造であって、原水中の残留塩素、トリハロメタンなどの有機塩素化合物、鉛などを除去するためのものである。
このような浄水カートリッジ６は、使用期間から判断して随時交換して用いられる。また、前記水流切換機構部４は、本浄水器より吐出する水の種類を浄水または原水に切換るためのものである。
【０００３】
上記浄水器本体３の側面には、水流切換レバー２が設置されている。この水流切換レバー２はプラスチックから形成され、前記水流切換機構部４と連動して二段階に回動するように設けられており、この水流切換レバー２を操作することによって前記水流切換機構部４内の水路が切換わるようになっている。この水流切換機構部４内の水路の接続によって、蛇口から導入された原水が直下して切換機構部４を通過する場合は原水がそのまま得られ、水流切換機構部４から浄水カートリッジ６に送り込まれる場合は浄水が得られるようになっている。
したがって前記水流切換レバー２を操作することにより、使用者は浄水および原水のいずれかを選択することができる。
【０００４】
また、浄水器本体３の上面には取付嵌合部１が設けられ、この取付嵌合部１はプラスチックあるいはゴムなどよりなる環状の嵌合部材を有し、これらの嵌合部材によって浄水器本体３を蛇口に直接取り付けて固定するものである。
【０００５】
さらに、浄水器本体３の底部には、吐出口部５が設けられている。この吐出口部５はプラスチックから形成されてなるものであって、二つの吐出口を有し、吐出する水流が浄水であるか原水であるかによって異なる吐出口を通るようにしたものと、浄水であるか原水であるかに関わらず、いずれの水流も共通の吐出口を通るようにしたものとがあるが、どちらも広く用いられる。
【０００６】
ところでこのような浄水器を使用する際、前記のプラスチック製の水流切換レバー２に水がかかって濡れていたり、あるいはまた、使用者が水仕事を行なっていて、その手が濡れている状態で水流切換操作を行なう場合には、この水流切換レバー２が非常に滑りやすく、操作性に劣るという問題があった。
【０００７】
また、上述のような浄水器には、外見上の美観のためにプラスチック製の水流切換レバー２にメッキ加工を施したものもあるが、そのような水流切換レバー２は通常のものよりさらに滑りやすく、したがって通常のものよりさらに操作性に劣り、実用性に欠けるものであった。
【特許文献１】特開昭６０−１５３９１３号公報
【発明の開示】
【発明が解決しようとする課題】
【０００８】
よって本発明の課題は、水流切換レバーが、水に濡れても滑りにくく、操作性に優れ、使用者がこれを用いて快適に水仕事を行なうことのできる実用性に優れた浄水器を提供することにある。
【課題を解決するための手段】
【０００９】
かかる課題は、水流切換レバーを有する蛇口直結型の浄水器において、前記水流切換レバーはプラスチック製であり、かつこの水流切換レバーの触手部分に、半球状の突起を形成した滑り止め部材を設けたことを特徴とする浄水器により解決される。
【発明の効果】
【００１０】
本発明の浄水器は、水流切換レバーを有する蛇口直結型の浄水器において、プラスチック製の水流切換レバーの触手部分に半球状の突起を形成した滑り止め部材を設け、この水流切換レバーが水に濡れても滑りにくく、水流切換操作を容易かつ確実に行なうことのできる操作性に優れたものである。 
【００１１】
よって、本発明の浄水器においては、水流切換レバーが水に濡れている場合あるいはまた、使用者が水仕事を行なっていて手が濡れている場合にも水流切換レバーが滑りにくく、水流切換操作を容易かつ確実に行なうことができる。
すなわち本発明においては、水流切換操作の操作性が向上した、実用性に優れた浄水器を提供することができる。したがって、本発明の浄水器を用いれば、使用者は快適に水仕事を行なうことが可能となる。
【発明を実施するための最良の形態】
【００１２】
以下、本発明の一例を図面を参照して詳しく説明する。
図１は、本発明の浄水器の一例を示すもので、図７に示したものと同一構成部分には同一符号を付してその説明を省略する。この浄水器が図７に示した浄水器と異なるところは、水流切換レバー２の触手部分に、あらかじめ半球状の突起７・・・を設けて滑り防止構造を形成した滑り止め部材８を設置した点である。 
【００１３】
このような滑り止め部材８としては、ゴムあるいはラテックスなどからなるものが適当であり、あらかじめ射出成型によって成型した後、ポリウレタン樹脂系接着剤、もしくはエポキシ樹脂系接着剤などを用いて水流切換レバー２の触手部分に接着するか、あるいはまた、水流切換レバー２をその触手部分にあらかじめ凹みを設けて成型し、この凹部に前記滑り止め部材８をはめ込み、接着することによって設置するのが望ましい。 
【００１４】
図２は、本発明の浄水器の水流切換レバー２を上方から見た図の一例である。水流切換レバー２の表面には、滑り止め部材８が設けられており、この滑り止め部材８は、厚さ１〜２ｍｍの板状部の表面に前記半球状の突起７・・・を設けたものである。これら半球状の突起７・・・は、直径１〜３ｍｍであり、５〜１０個を横一列として、この列を縦に２〜５列配列して滑り防止構造を形成したものである。
【００１５】
なお、浄水器における滑り止め部材の参考例としては、図３、図４、図５中に示されるような表面加工による滑り防止構造を有するものも挙げられる。
図３、図４、図５は、いずれも浄水器の水流切換レバー２を上方から見た図の一例である。 
【００１６】
図３中符号８に示される滑り止め部材は、厚さ１〜２ｍｍの板状部の表面に、直線状の突起９・・・を形成したものであり、これら直線状の突起９・・・は水流切換レバー２に対して横方向とし、板状部表面からの高さを１〜２ｍｍとし、１〜５ｍｍ間隔に配するのが望ましい。
図４中符号８に示される滑り止め部材は、厚さ１〜２ｍｍの板状部の表面に、波線状の突起１０・・・を形成したものであり、これら波線状の突起１０・・・は水流切換レバー２に対して横方向とし、板状部表面からの高さを１〜２ｍｍとし、１〜５ｍｍ間隔に配するのが望ましい。
図５中符号８に示される滑り止め部材は、厚さ２〜３ｍｍの板状部に溝１１・・・を形成したものであり、これらの溝１１・・・は直線状、波線状のいずれでもよく、水流切換レバー２に対して横方向とし、板状部表面からの深さを１〜２ｍｍとし、１〜５ｍｍ間隔に配するのが望ましい。 
【００１７】
また、浄水器における滑り止め部材としては、上記のように平板状で表面加工によって滑り防止構造を形成したものに限らず、その形状によって滑り防止構造を形成したものも挙げられる。図６は、浄水器の水流切換レバー２を側方から見た図の一例である。図６中符号８に示されるものは滑り止め部材８、８であって、その形状は、水流切換レバー２の回動軸に近い部分から先端部に向って厚みを増しており、その厚さは最も回動軸に近い部分で１〜２ｍｍ、最先端部分で２〜５ｍｍとするのが望ましい。
【００１８】
さらに、上記のような形状による滑り防止構造を有する滑り止め部材８に、前記のような表面加工による滑り防止構造を施したものも挙げられる。
【００１９】
このような滑り止め部材８は、前記水流切換レバー２の触手部分の上面又は下面に設置するのが望ましく、また、上下両面に設置するのが最も望ましい。 
【００２０】
上述のように本発明の浄水器は、水流切換機構部４に連動するプラスチック製の水流切換レバー２の触手部分に半球状の突起を形成した滑り止め部材８を設けたものであり、この滑り止め部材８に滑り防止構造をもたせたことによって水に濡れた状態でも使用者の手が滑りにくくなっている。このように水流切換レバー２を滑りにくくしたことにより、本発明の浄水器は操作性、実用性が向上し、使用者がこれを用いて快適に水仕事を行なうことのできるものである。
【図面の簡単な説明】
【００２１】
【図１】本発明の浄水器の側面図の一例である。
【図２】本発明の浄水器の水流切換レバーを上方から見た図の一例である。
【図３】参考例の浄水器の水流切換レバーを上方から見た図の一例である。
【図４】参考例の浄水器の水流切換レバーを上方から見た図の一例である。
【図５】参考例の浄水器の水流切換レバーを上方から見た図の一例である。
【図６】参考例の浄水器の水流切換レバーを側方から見た図の一例である。
【図７】従来の浄水器の側面図の一例である。
【符号の説明】
【００２２】
２・・・水流切換レバー、４・・・水流切換機構部、８・・・滑り止め部材。
【図１】
2005319467.tif 000003
【図２】
2005319467.tif 000004
【図３】
2005319467.tif 000005
【図４】
2005319467.tif 000006
【図５】
2005319467.tif 000007
【図６】
2005319467.tif 000008
【図７】
2005319467.tif 000009